(57)【特許請求の範囲】
【請求項１】
回路図データベース、機器データベース、環境影響データベース、コスト・エネルギーデータベース及びデータ処理シートデータベースが構築された記憶装置が具えられたコンピュータを用いて、乾燥機及びその周辺機器としてのヒートポンプユニットを構成機器として成る乾燥設備の設計支援を行うシステムであって、
回路図情報を回路図データベースより呼び出して、操作者に対象となる乾燥設備の構成を選択させる手段と、
被処理物の条件及び乾燥品の条件を操作者に入力させる手段と、
前記回路図データベースより呼び出された回路図情報に適合した回路図における各種条件の数値を、操作者に入力させる手段と、
前記被処理物の条件及び乾燥品の条件を用い、前記回路図での各構成機器の運転条件のうち、未決定となっている項目を求める手段と、
ヒートポンプユニットの出口熱風温度−風量特性及び出口熱風温度−ＣＯＰ特性を用いて、ヒートポンプユニットの構成を決定する手段と、
機器データベース及び環境影響データベースに記憶されている条件、計算式に基づいて、乾燥設備を構成する各機器のエネルギー使用量を求めるとともに、乾燥設備全体のエネルギー使用量を求める手段と、
機器データベース及び環境影響データベースに記憶されている条件、計算式に基づいて、乾燥設備Ｄを構成する各機器の温室効果ガス排出量を算出するとともに、乾燥設備全体からの温室効果ガス排出量を求める手段と、
乾燥設備の各構成機器のイニシャルコストをコスト・エネルギーデータベースから読み込んで、データ処理シートデータベースに記憶された計算式を用いて、選定された各構成機器の単価を積算して乾燥設備全体のイニシャルコストを算出するとともに、データ処理シートデータベースに記憶された計算式を用いてランニングコストを算出する手段とが具えられて成ることを特徴とする乾燥設備の設計支援システム。
【請求項２】
前記運転条件、エネルギー使用量、温室効果ガス排出量及びコストのいずれか一つまたは複数は、構成を異ならせた乾燥設備のものが、一覧表として表示されることを特徴とする請求項１記載の乾燥設備の設計支援システム。
【発明の詳細な説明】
【技術分野】
【０００１】
本発明はヒートポンプユニット等を具えて成る乾燥設備の設計支援ツールに関するものであり、特に装置構成や各種運転条件を異ならせた場合の温室効果ガス排出量及びコストの比較を、容易に且つ迅速に行うことのできる乾燥設備の設計支援システムに係るものである。
【背景技術】
【０００２】
近時、環境保全の取り組みが盛んになってきており、更に省エネルギー（以下、省エネと称する）の観点から、乾燥設備における熱源としてヒートポンプユニットを適用することが試みられている。
具体的には、例えばバンド乾燥機に対して、フロン系の冷媒を使用したヒートポンプユニットが適用された装置が開発されている（例えば特許文献１参照）。
【０００３】
ところで前記乾燥設備の被処理物としては、多種多様なものが取り扱われ、乾燥設備の構成機器である乾燥機やその周辺機器の組み合わせは、被処理物の物性や乾燥の目的等に応じて適宜の構成が選択されることとなる。
もちろん環境保全の観点からは、温室効果ガス排出量が少ない乾燥設備を構築することが望ましいが、乾燥効率やコストを重視する場合も現実には多く存在する。
このため乾燥設備を設計するにあたっては、温室効果ガス排出量、乾燥効率、イニシャルコスト、ランニングコスト、ライフサイクルコスト等の優先度を異ならせた複数の装置構成を比較検討することが行われるが、このための計算は非常に複雑なものであった。
これは、前記ヒートポンプユニット等、乾燥設備の構成機器はカタログ上（仕様上）、単体としての消費電力やＣＯＰ等の値は明示されてはいるものの、実際に乾燥設備に組み込まれた際には、他の機器との関係で熱負荷等の運転条件が異なってくるからである。このため、構成が異なる乾燥設備毎に個別の計算が必要になる。特に乾燥機に供給される乾燥気体の昇温に蒸気を用いる構成が採られた場合等、乾燥設備のエネルギー源として電気、石油等の燃料、更には他の機器からの排熱等が混在することとなり、前記計算は更に複雑なものとなってしまう。
【０００４】
また乾燥設備の製造業者が顧客に対して乾燥設備の提案を行うにあたっては、温室効果ガス排出量、イニシャルコスト、ランニングコスト、ライフサイクルコスト等の優先度を異ならせた複数の装置構成を提示して、提案する乾燥設備が顧客の要求を満たすものであることを判り易く明示することが望ましい。
しかしながらこのような提案の場においては、各種条件の変更、構成機器の変更等、事前に予測できない要求が生じることもあり、これらも含めて事前に複数の装置構成のデータを用意しておくことは、現実には不可能であった。
【先行技術文献】
【特許文献】
【０００５】
【特許文献１】特許第３９５７６５２号公報
【発明の概要】
【発明が解決しようとする課題】
【０００６】
本発明はこのような背景を認識してなされたものであって、乾燥設備の装置構成を異ならせた場合の、温室効果ガス排出量及びコストの比較を容易に且つ迅速に行うことのできる、新規な乾燥設備の設計支援システムの開発を技術課題としたものである。
【課題を解決するための手段】
【０００７】
すなわち請求項１記載の乾燥設備の設計支援システムは、回路図データベース、機器データベース、環境影響データベース、コスト・エネルギーデータベース及びデータ処理シートデータベースが構築された記憶装置が具えられたコンピュータを用いて、乾燥機及びその周辺機器としてのヒートポンプユニットを構成機器として成る乾燥設備の設計支援を行うシステムであって、回路図情報を回路図データベースより呼び出して、操作者に対象となる乾燥設備の構成を選択させる手段と、被処理物の条件及び乾燥品の条件を操作者に入力させる手段と、前記回路図データベースより呼び出された回路図情報に適合した回路図における各種条件の数値を、操作者に入力させる手段と、前記被処理物の条件及び乾燥品の条件を用い、前記回路図での各構成機器の運転条件のうち、未決定となっている項目を求める手段と、ヒートポンプユニットの出口熱風温度−風量特性及び出口熱風温度−ＣＯＰ特性を用いて、ヒートポンプユニットの構成を決定する手段と、機器データベース及び環境影響データベースに記憶されている条件、計算式に基づいて、乾燥設備を構成する各機器のエネルギー使用量を求めるとともに、乾燥設備全体のエネルギー使用量を求める手段と、機器データベース及び環境影響データベースに記憶されている条件、計算式に基づいて、乾燥設備Ｄを構成する各機器の温室効果ガス排出量を算出するとともに、乾燥設備全体からの温室効果ガス排出量を求める手段と、乾燥設備の各構成機器のイニシャルコストをコスト・エネルギーデータベースから読み込んで、データ処理シートデータベースに記憶された計算式を用いて、選定された各構成機器の単価を積算して乾燥設備全体のイニシャルコストを算出するとともに、データ処理シートデータベースに記憶された計算式を用いてランニングコストを算出する手段とが具えられて成ることを特徴として成るものである。
【０００８】
また請求項２記載の乾燥設備の設計支援システムは、前記要件に加え、前記運転条件、エネルギー使用量、温室効果ガス排出量及びコストのいずれか一つまたは複数は、構成を異ならせた乾燥設備のものが、一覧表として表示されることを特徴として成るものである。
そしてこれら各請求項記載の発明の構成を手段として前記課題の解決が図られる。
【発明の効果】
【０００９】
まず請求項１記載の発明によれば、乾燥設備の回路図を決定するとともに、被処理物の条件及び乾燥品の条件更には各構成機器の運転条件を入力することにより、各構成機器及び乾燥設備全体の、運転条件、エネルギー使用量、温室効果ガス排出量及びコストを容易に且つ迅速に求めることができる。
このため回路図や構成機器を異ならせた乾燥設備の比較を迅速に行うことができ、温室効果ガス排出量を優先したり、コストを優先する等、顧客の要望に応じた最適な乾燥設備を提案、提供することができる。
また選択された回路図に組み込まれ、選択された条件の下でのヒートポンプユニットの能力を及び作動状況を、容易に且つ正確に求めることができ、乾燥設備全体の運転条件、エネルギー使用量、温室効果ガス排出量及びコストを迅速且つ正確に求めることができる。
更にまた、操作者は、複雑な計算を行うことなく、運転条件、エネルギー使用量、温室効果ガス排出量及びコストのいずれか一つまたは複数を、迅速且つ正確に求めることができる。
【００１０】
また請求項２記載の発明によれば、回路図および／または構成機器を異ならせた乾燥設備のパフォーマンスを、視覚を通じて明確に認識することができ、より詳細な比較検討を行うことができる。
【図面の簡単な説明】
【００１１】
【図１】ヒートポンプユニットが具えられた乾燥設備を示すブロック図である。
【図２】本発明の乾燥設備の設計支援システムを実現するためのコンピュータを示す斜視図である。
【図３】本発明の乾燥設備の設計支援システムによる処理の流れを示すフローチャートである。
【図４】記憶装置に記憶されるデータベースを示すブロック図である。
【図５】フロー及びユーティリティ選択画面を示す正面図である。
【図６】回路図選択画面を示す正面図である。
【図７】回路図とともに表示された数値入力画面を示す正面図である。
【図８】数値入力画面を示す正面図である。
【図９】ヒートポンプユニット一台の出口熱風温度−風量特性及び出口熱風温度−ＣＯＰ特性を示すグラフである。
【図１０】ヒートポンプユニットが具えられていない乾燥設備を示す回路図である。
【図１１】比較表が表示された画面を示す正面図である。
【発明を実施するための形態】
【００１２】
本発明の乾燥設備の設計支援システムの最良の形態の一例は以下の実施例に示すとおりであるが、この実施例に対して本発明の技術的思想の範囲内において適宜変更を加えることも可能である。
【実施例】
【００１３】
本発明の乾燥設備の設計支援システムＳ（以下、設計支援システムＳと称す）は、一例として図１に示すような乾燥設備Ｄの設計支援を行うためのツールである。ここで前記乾燥設備Ｄは、乾燥機１並びにこの乾燥機１に乾燥気体Ａ３を供給するためのヒートポンプユニット２や熱交換器３等の外気Ａ０の昇温装置等、複数の周辺機器を構成機器として成るものである。
そして前記設計支援システムＳは、乾燥設備Ｄの構成を変えたときの、運転条件、エネルギー使用量、温室効果ガス排出量及びコストの比較検討を容易に且つ迅速に行うことを可能にするものである。
【００１４】
前記設計支援システムＳは一例として図２に示すようなコンピュータ１００を用いて実現されるものであり、具体的には記憶装置１１０に対して記憶されたプログラムによって、図３に示すフローチャートに従った処理を行うことにより、結果をディスプレイ１２０に表示して、乾燥設備Ｄの設計支援を実現するものである。
また前記記憶装置１１０には図４に示すように、回路図データベースＤＢ１、機器データベースＤＢ２、環境影響データベースＤＢ３、コスト・エネルギーデータベースＤＢ４及びデータ処理シートデータベースＤＢ５が構築され、これらに各種情報が記憶される。
なお前記記憶装置１１０としては、コンピュータ１００に内蔵されるハードディスクドライブ（以下ＨＤＤ１１１と称する。）あるいはＣＤ、ＤＶＤ、ＢＤ等のディスクメディア及びこれらメディアの読み書きを行うディスクドライブ更にはＵＳＢメモリ等のリムーバルメディアが適用される。
【００１５】
ここで前記回路図データベースＤＢ１に記憶される情報は、乾燥設備Ｄの機器構成及び接続形態についての情報である。この実施例では一例として、乾燥機１の排気Ｇを循環使用する構成（「循環」）であるか、あるいは排気Ｇを循環使用しない構成（「ワンパス」）であるかの選択肢と、外気Ａ０を昇温するためのエネルギー源が、「蒸気」、「ガス」、「液体燃料」のうちの何れであるかの選択肢とで分類される、六種類の回路構成が図７、１０に示すような回路図１２５として選択可能とされている（図５、６参照）。
またこの実施例では、前記回路図データベースＤＢ１に、各回路図１２５中の構成機器の運転条件等を入力するためのフォームが図８に示すような数値入力画面１２３として記憶されるようにした。
【００１６】
次に前記機器データベースＤＢ２に記憶される情報は、乾燥設備Ｄの構成機器となる機器の情報であり、この実施例では、乾燥機１、ヒートポンプユニット２、熱交換器３、排熱回収装置５等の機器の情報が該当する。
具体的には乾燥機１の情報としては、処理能力を算出するための計算式（乾燥機１に投入前の被処理物Ｈの投入量、水分及び温度並びに乾燥機１から排出される乾燥品の排出量、水分及び温度により算出される水蒸気蒸発量、エンタルピー）、消費電力、エアリーク量、乾燥気体Ａ３が乾燥機１を通過する時に生ずる圧力損失値等が挙げられる。
【００１７】
またヒートポンプユニット２の情報としては、昇温能力（性能グラフ）、消費電力、成績係数（ＣＯＰ）、冷却能力、凝縮器２１における外気入口と熱風出口との間の圧力損失値等が挙げられる。
更にまた熱交換器３の情報としては、熱伝導係数、受熱側入口出口間の圧力損失値、外形寸法、補正係数が挙げられる。
更にまた排熱回収装置５の情報としては、熱伝導係数、放熱側入口出口間の圧力損失値、外形寸法、補正係数が挙げられる。
【００１８】
なお回路図データベースＤＢ１には、上記機器以外にも電力を消費する機器の情報を記憶しておくことが好ましく、吹込ファン１６及び排気ファン１７の情報として、風量データ、ファン静圧データ、消費電力データ等を記憶するようにした。更にまた、ポンプ６１及びポンプ６２の情報として、送液量データ、吸引圧データ、吐出圧データ、消費電力データを記憶するようにした。
【００１９】
次に前記環境影響データベースＤＢ３に記憶される情報は、機器を接続する管に流体が流れるときに生ずる圧力損失値、乾き空気物性値、湿り空気物性値、蒸気の温度、蒸気の使用量、電気の使用量、用水の使用量と温室効果ガス発生量との関係式、各構成機器の運転時の消費電力に対する温室効果ガス発生量のデータ、蒸気発生源用各種燃料物性値、各種燃料使用量と温室効果ガス発生量の情報、等が挙げられる。
【００２０】
次に前記コスト・エネルギーデータベースＤＢ４に記憶される情報は、イニシャルコスト情報とランニングコスト情報とに大別される。
まずイニシャルコスト情報としては、乾燥機１、ヒートポンプユニット２、熱交換器３、排熱回収装置５、吹込ファン１６、排気ファン１７、作用水タンク６、ポンプ６１、ポンプ６２等、乾燥設備Ｓを構成する機器の単価及び配管等の周辺部材の単価等が挙げられる。
一方、ランニングコスト情報としては、燃料単価、用水単価、電気料金、更に保守費用、各機器の耐用年数等が挙げられる。
【００２１】
次に前記データ処理シートデータベースＤＢ５には、表計算機能を有するデータ処理シートが記憶されるものであり、このデータ処理シートには、図８に示す数値入力画面１２３に入力されたデータを処理するための表データ及び計算式が記憶される。
【００２２】
ここで図１に示した乾燥設備Ｄの構成機器について詳しく説明する。
まず前記乾燥機１は、一例として連続式乾燥機が適用されるものであり、この実施例ではいわゆるバンド型（低温除湿）乾燥装置が適用される。
この装置は、筐体１０内を乾燥のための処理空間とするものであり、筐体１０内に一例として三段に設けられた通気性のネットコンベヤ１１によって移送される被処理物Ｈに対し、乾燥気体Ａ３を接触させることにより乾燥を行うものである。
このため筐体１０の上部には給気口１２及び投入口１３が形成され、更に筐体１０の下部には排気口１４及び排出口１５が形成される。
また乾燥機１の周辺機器として、吹込ファン１６及び排気ファン１７が具えられる。
【００２３】
次に前記ヒートポンプユニット２について説明すると、このものは、凝縮器２１と、膨張弁２２と、蒸発器２３と、圧縮機２４とを具えてヒートポンプサイクルを形成するものであり、外気Ａ０を昇温して昇温外気Ａ１とする装置である。この実施例では一例として二酸化炭素を冷媒とするものが採用される。
【００２４】
次に前記昇温装置３について説明すると、このものは前記ヒートポンプユニット２によって昇温された昇温外気Ａ１または後述する混合気Ａ２を、更に昇温するための装置であり、一例として、パイプ３１の側周に複数の放熱フィン３２が具えられたフィン付熱交換器が適用される。
【００２５】
次に前記排熱回収装置５について説明すると、このものは被処理物Ｈに作用した後、乾燥機１から排出された排気Ｇの熱（排熱）を回収するための装置である。なおこの実施例では、詳しくは後述するが前記排熱は作用水Ｗに取り込まれてヒートポンプユニット２の熱源として供されるようにした。
前記排熱回収装置５としては一例として、パイプ５１の側周に複数の放熱フィン５２が具えられたフィン付熱交換器が適用される。
【００２６】
そして図１に示すように、前記乾燥機１、ヒートポンプユニット２、昇温装置３及び排熱回収装置５を組み合わせて乾燥設備Ｄが構成される。
具体的には、まずヒートポンプユニット２における凝縮器２１の出力側に吹込ファン１６が管路を用いて接続され、この吹込ファン１６と乾燥機１における給気口１２との間に昇温装置３が設けられる。そして昇温装置３におけるパイプ３１には、図示しない蒸気発生装置が接続されるものであり、このような構成が採られることにより、ヒートポンプユニット２から送られてくる昇温外気Ａ１は、排気Ｇの一部と混合されて混合気Ａ２となり、更に昇温装置３において蒸気の熱を受けて昇温され、所望の温度となった乾燥気体Ａ３として乾燥機１に供給されることとなる。
またヒートポンプユニット２における蒸発器２３の入力側及び出力側は、管路によって作用水タンク６に接続されるものであり、更に蒸発器２３の入力側と作用水タンク６との間にポンプ６１が具えられる。
【００２７】
また乾燥機１における排気口１４と、排熱回収装置５との間が管路によって接続される。そして前記排熱回収装置５におけるパイプ５１の両端が管路によって作用水タンク６に接続されるものであり、パイプ５１の入力側と作用水タンク６との間にポンプ６２が具えられる。
そしてこのような構成が採られることにより、排気Ｇから排熱回収装置５によって回収された熱を、作用水Ｗに取り込むとともに、この作用水Ｗをヒートポンプ２における蒸発器２３に供給することにより、排気Ｇの熱を外気Ａ０の昇温のためのエネルギーとして有効利用することが可能となる。
【００２８】
この実施例で示す乾燥設備Ｄは、一例として上述したように構成されるものであり、以下、本発明の設計支援システムＳによって、図１（図７）に示す乾燥設備Ｄと、図１０に示す装置構成を異ならせた乾燥設備Ｄ１との、運転条件、エネルギー使用量、温室効果ガス排出量及びコストの比較を行う態様について説明する。
なお前記乾燥設備Ｄ１は、乾燥設備Ｄの構成機器のうち、ピートポンプユニット２、排熱回収装置５、作用水タンク６、ポンプ６１及びポンプ６２を削除した構成となっている。
そして操作者がコンピュータ１００を操作することにより、記憶装置１１０に対して記憶されたプログラムによる、図３に示すフローチャートに従ったデータ処理が行われる。
【００２９】
〔構成機器及び配置選択工程〕（図３Ｐ１）
まずコンピュータ１００を起動して設計支援システムＳのプログラムを実行することにより、図５に示すようにディスプレイ１２０に対してフロー・ユーティリティ選択画面１２１が表示される。この実施例では、フロー・ユーティリティ選択画面１２１中において、フロー（排気Ｇの流れ）として「ワンパス」または「循環」が選択可能とされており、またユーティリティ（蒸気発生の熱源）として「蒸気」、「ガス」または「液体燃料」が選択可能とされている。
そして操作者は検討対象となる乾燥設備Ｄの構成を画面上で選択するものであり、この実施例では図１に示す乾燥設備Ｄの構成に合致したフローとして「循環」、ユーティリティとして「蒸気」を選択するようにした。
なお図示は省略するが、前記ユーティリティとして「液体燃料」を選択した場合には別画面が表示され、「Ａ重油」または「灯油」等が選択可能とされるものとする。
次いで操作者は決定ボタン１２１ａをクリックして、図６に示す回路図選択画面１２２を表示させる。この回路図選択画面１２２は、前記フロー・ユーティリティ選択画面１２１での入力事項に適合した回路図情報が、回路図データベースＤＢ１より呼び出されて表示されるものであり、操作者は、対象となる乾燥設備Ｄの構成が示された選択ボタン１２２ａをクリックする。
なおこの実施例では、回路図選択画面１２２に対し、回路図番号が付された選択ボタン１２２ａのみが表示されるようにしたが、回路図１２５を適宜縮小したり図案化するなどして表示するようにしてもよい。またこの実施例では、図６中において選択ボタン１２２ａが二個所に表示されるものであり、このように、選択可能な回路図１２５の数に応じた数の選択ボタン１２２ａが表示されるものである。
【００３０】
〔条件入力工程〕（図３Ｐ２）
次いでディスプレィ１２０には図７、８に示すように、前記回路図選択画面１２２での入力事項に適合した回路図１２５及びこの回路図１２５における各種条件の数値を入力するための数値入力画面１２３が、回路図データベースＤＢ１より呼び出されて表示される。
そして操作者は、数値入力画面１２３の各カーソルに対して数値を入力してゆくものであり、この実施例では一例として以下の項目の入力が行われるものとした。
・被処理物：処理量〔ｋｇ／ｈ〕、水分値〔％Ｗ．Ｂ．〕、温度〔℃〕
・運転時間：平均運転時間〔ｈ／Ｄ〕、稼働日数〔Ｄ／ｙ〕
・ヒートポンプユニット：熱源水入口温度〔℃〕、熱源水出口温度〔℃〕、外気温度〔℃〕、外気湿度〔ｋｇ／ｋｇ′〕、外気風量〔ｋｇ′／ｈ〕
（上記熱源水入口温度とは、作用水Ｗが蒸発器２３に入るときの温度であり、また熱源水出口温度とは、作用水Ｗが蒸発器２３から出るときの温度である。）
・乾燥気体：温度〔℃〕、湿度〔ｋｇ／ｋｇ′〕、流量〔ｋｇ′／ｈ〕
・乾燥品：水分値〔％Ｗ．Ｂ．〕、温度〔℃〕
・蒸気：圧力〔ＭＰａＧ〕
・乾燥機：放熱量〔ｋＪ／（ｍ2 ・ｈ）〕、面積〔ｍ2 〕、エアリーク〔％〕
（上記面積とは、放熱に関する表面積のことである。）
・排熱回収クーラ（排熱回収装置５）：台数〔台〕、湿り補正係数
・排気条件：温度〔℃〕、湿度〔ｋｇ／ｋｇ′〕
そして数値入力画面１２３の各カーソルに入力された数値は、記憶装置１１０内の適宜の領域に記憶され、更に図７に示すように回路図１２５中の該当個所に表示された枠内に表示される。
このとき外気Ａ０の風量については、数値入力画面１２３において単位：〔ｋｇ′／ｈ〕での数値入力が行われるものであり、この値と適宜単位換算された値（一例として〔ｍ3 ／ｍｉｎ〕と〔Ｎｍ3 ／ｍｉｎ〕と〔Ｎｍ3 ／ｈ〕）が回路図１２５中に表示されるようにした。
【００３１】
〔運転条件導出及び機器選択工程〕（図３Ｐ３）
次いで操作者が計算実行ボタン１２３ａをクリックすると、コンピュータ１００は、前記入力データをデータ処理シートデータベースＤＢ５に記憶されたデータ処理シートの該当個所に読み込み、各データ処理シートに記憶されている条件や計算式に基づいて、乾燥設備Ｄを構成する各機器の運転条件のうち、未決定となっている項目の決定を行う。
例えば、ヒートポンプ２によって昇温された昇温外気Ａ１の温度及び湿度と、乾燥機１に供給される乾燥気体Ａ３の温度及び湿度とを用いて、昇温装置３の能力及びこの昇温装置３に供給される蒸気の温度、流量等が決定される。
【００３２】
またこの実施例では、数値入力画面１２３への入力値に応じて、ヒートポンプユニット２の周辺環境が設定されるものであり、数値入力画面１２３に入力された外気条件の各値と、環境影響データベースＤＢ３及び機器データベースＤＢ２に記憶されたヒートポンプユニット２の特性データとを照らし合わせて設定される。
具体的には、ヒートポンプユニット２の特性データの一つであるヒートポンプ出口熱風温度と風量との特性の関係式に外気条件の各値を当てはめて、ヒートポンプ出口熱風温度が決定される。ここでは、説明上の便宜のために、図９（ａ）に、各外気温度におけるヒートポンプユニット２の、ヒートポンプ出口熱風温度と風量の関係をグラフ化して説明する。
図９（ａ）中の上側の３本の太い曲線は、一例として示した各外気温度におけるヒートポンプユニット２の風量の上限能力を示す線である。また図９（ａ）中の下側の３本の細い曲線は、一例として示した各外気温度におけるヒートポンプユニット２の風量の下限能力を示す線である。そしてこの上限と下限の間が、ヒートポンプユニット２が送風できる能力範囲である。
図９（ａ）によれば、外気温度が１０℃の場合、外気風量６６００ｋｇ′／ｈ、すなわち単位換算すると５１５０Ｎｍ3 ／ｈに相等する風量は、上限能力を示す曲線のヒートポンプ出口熱風温度７５℃に相等するので、ヒートポンプユニット２は７５℃の熱風を５１５０Ｎｍ3 ／ｈで送風する能力で選定されたことになる。
また、本図９（ａ）に例示される風量特性は、ヒートポンプユニット２の１台に相等する能力であり、数値入力画面１２３で入力した外気風量６６００ｋｇ′／ｈは、この例示された本図９（ａ）中の風量の上限能力と下限能力の間に該当するため、ヒートポンプユニット２は１台で入力条件を満たし、すなわち必要台数が１台であることも選定されたことになる。
【００３３】
一方、ヒートポンプユニット２の特性データの一つである出口熱風温度とＣＯＰとの特性も関係式となって機器データベースＤＢ２に記憶されている。ここでは、説明上の便宜のために、図９（ｂ）に、各外気温度におけるヒートポンプユニット２の、ヒートポンプ出口熱風温度とＣＯＰの関係をグラフ化して説明する。
図９（ｂ）中の３本の曲線は、一例として示した各外気温度におけるヒートポンプユニット２のＣＯＰを示す線である。そして図９（ａ）によりヒートポンプユニット２の選定された７５℃におけるＣＯＰは、本図９（ｂ）の、外気温度１０℃での曲線により、ＣＯＰが４．８であることになる。
これらにより、ヒートポンプユニット２の構成（この実施例では、必要となるヒートポンプユニット２の風量、必要となるヒートポンプユニット２の台数、ヒートポンプ出口熱風温度及び消費電力）が選択されるものである。
ここで、例えば、乾燥気体の温度が１５０℃ではなく７０℃で入力されている場合は、ヒートポンプユニット２の風量は５１５０Ｎｍ3 ／ｈで、ヒートポンプ出口熱風温度は７０℃が選定される。
また、例えば、入力した外気風量がヒートポンプユニット２の１台に相等する能力を超えた値である場合、ヒートポンプユニット２の台数、ヒートポンプユニット２の１台当りに換算された風量、及び、ヒーポンプ出口熱風温度が演算により変更され、入力した外気風量を満たす、すなわち乾燥機１が必要とする風量が満たされる条件が選定され、以下上記と同様にしてＣＯＰも選定される。
【００３４】
なお前記数値入力画面１２３において、「乾燥気体」の「温度」、「熱源水」の「入口温度」、「出口温度」の値を変更することにより、ヒートポンプユニット２の作動状態を異ならせた際の、乾燥設備Ｄ全体での運転条件を求めることができるため、効率の良い運転条件を選択することが可能となる。
【００３５】
〔エネルギー使用量算出工程〕（図３Ｐ４）
次いでコンピュータ１００は、機器データベースＤＢ２及び環境影響データベースＤＢ３に記憶されている条件、計算式に基づいて、乾燥設備Ｄを構成する各機器のエネルギー使用量を求める。
例えばユーティリティとして蒸気を使用する場合には、蒸気の使用量と、蒸気圧より求められた蒸発潜熱とを乗じることにより、エネルギー使用量が算出される。
エネルギー使用量＝蒸気の使用量×蒸発潜熱
【００３６】
また、ヒートポンプユニット２の圧縮機２４と各構成機器の消費電力は、使用量（図７に示された乾燥設備Ｄの構成機器が定常運転されている状態で、各構成機器が消費する電力量の合計量）に、電気を作る際に発生するロス（発電所における排ガスとして損失するロス、蒸気タービンの排気の凝縮器ロス、機械的ロス、及び送電ロス）を考慮した係数を乗じることにより、エネルギー使用量が算出される。
エネルギー使用量＝使用量×係数
そして乾燥設備Ｄを構成する各機器のエネルギー使用量を加算することにより、乾燥設備Ｄ全体のエネルギー使用量が算出される。
【００３７】
〔温室効果ガス排出量算出工程〕（図３Ｐ５）
次いでコンピュータ１００は機器データベースＤＢ２及び環境影響データベースＤＢ３に記憶されている条件、計算式に基づいて、乾燥設備Ｄを構成する各機器の温室効果ガス排出量を算出する。
例えば、使用する燃料の種類に応じて、燃料の種類ごとの発熱量と、燃料の種類ごとの炭素排出量係数とを乗じ、二酸化炭素排出量に換算するため二酸化炭素の分子量を炭素の分子量で除したものを乗じることにより、温室効果ガス排出量が算出される。
温室効果ガス排出量＝（発熱量×炭素排出量係数）×（二酸化炭素分子量／炭素分子量）
また、ポンプユニット２の圧縮機２４と各構成機器の温室効果ガス排出量は、使用量（図７に示された乾燥設備Ｄの構成機器が定常運転されている状態で、各構成機器が消費する電力量の合計量）に電力会社毎の二酸化炭素排出係数を乗じることにより算出される。
温室効果ガス排出量＝使用量×二酸化炭素排出係数
そして乾燥設備Ｄを構成する各機器の温室効果ガス排出量を加算することにより、乾燥設備Ｄ全体の温室効果ガス排出量が算出される。
【００３８】
〔コスト算出工程〕（図３Ｐ６）
次いでコンピュータ１００は、乾燥設備Ｄの各構成機器のイニシャルコストをコスト・エネルギーデータベースＤＢ４から読み込んで、データ処理シートデータベースＤＢ５に記憶された計算式を用いて、選定された各構成機器の単価を積算して乾燥設備Ｄ全体のイニシャルコストを算出する。
またコンピュータ１００は、データ処理シートデータベースＤＢ５に記憶された計算式を用いてランニングコストを算出するものであり、燃料及び電力の使用量に個々の単価を乗じて積算し、ランニングコストを算出する。
【００３９】
〔データ保存〕
次いでコンピュータ１００は、ここまでの入力値、導出事項、算出値等を、例えば「Ａ工場Ｂライン構成１」等とタイトルが付与された状態で記憶装置１１０内の適宜の領域に記憶する。
【００４０】
〔結果表示工程〕（図３Ｐ７）
次いでコンピュータ１００は、前記「Ａ工場Ｂライン構成１」のデータのうち、比較検討の対象となるものや重要なものを、図１１（ａ）に示すような比較表１２６の所定欄に当てはめて、これをディスプレィ１２０に表示する。
またこの実施例では、経過年数−ライフサイクルコスト特性のグラフ１２７と、生産量１ｔ当りのランニングコストのグラフ１２８を、比較表１２６とともにディスプレイ１２０に表示するようにした。
ここで図１１（ａ）中、変動費〔円／ｔ〕とは、水分蒸発量１ｔｏｎ当りにかかる費用を意味するものである。
【００４１】
〔比較検討工程〕（図３Ｐ８）
そして乾燥設備Ｄとは構成を異ならせた乾燥設備Ｄ１についても、同様にＰ１〜Ｐ６の操作が行われるものであり、例えば図１０に示した乾燥設備Ｄ１についての入力値、導出事項、算出値等を「Ａ工場Ｂライン構成２」とタイトルが付与された状態で記憶する。つまり、「Ａ工場Ｂライン構成１」とタイトルが付与された情報は乾燥設備Ｄについての情報であり、「Ａ工場Ｂライン構成２」とタイトルが付与された情報は乾燥設備Ｄ１についての情報である。
次いでコンピュータ１００は、前記「Ａ工場Ｂライン構成２」のデータを、図１１（ａ）に示した比較表１２６の所定欄に当てはめた状態でディスプレイ１２０に表示する。またグラフ１２７中に経年変化ーライフサイクルコスト特性を描画し、グラフ１２８中に変動費積算グラブを描画する。
コンピュータ１００によって上述のような処理が行われることにより、操作者は、比較表１２６を見ることによって、「Ａ工場Ｂライン構成１」と「Ａ工場Ｂライン構成２」とのコスト（イニシャルコスト、ランニングコスト）及び温室効果ガス（二酸化炭素）排出量を容易に比較して、乾燥設備Ｄの設計に反映させることができる。そして再度条件を変えて比較検討を行う場合には図３に示すフローチャートの構成機器及び配置選択工程Ｐ１に戻る。
【００４２】
また、例えばヒートポンプユニット２は初期費用が高価であることが気になる顧客に対して、乾燥設備Ｄは乾燥設備Ｄ１に比べて温室効果ガス（二酸化炭素）排出量が少ないことを、比較表１２６の形で明示することができる。
またいわゆるライフサイクルコストについては、ヒートポンプユニット２が具えられた乾燥設備Ｄの方が、ある経過年数を過ぎると乾燥設備Ｄ１よりも安価となることを、グラフ１２７の形で明示することができる。因みにグラフ１２７では、約３．０年を経過すると、乾燥設備Ｄのライフサイクルコストが乾燥設備Ｄ１のライフサイクルコストよりも安価になることが確認できる。
このように、上記のイニシャルコスト、ランニングコスト、温室効果ガス（二酸化炭素）排出量及びライフサイクルコストについて、ヒートポンプユニット２を有する乾燥設備Ｄのものと、ヒートポンプユニット２を有しない乾燥設備Ｄ１のものとを、同一画面上で比較することができるため、操作者は説得力のあるプレゼンテーションを行うことができる。一方、顧客は、乾燥設備Ｄの導入の判断指標を容易に得ることができる。
【符号の説明】
【００４３】
Ｓ        設計支援システム
Ｄ        乾燥設備
Ｄ１      乾燥設備
１        乾燥機
１０      筐体
１１      ネットコンベヤ
１２      給気口
１３      投入口
１４      排気口
１５      排出口
１６      吹込ファン
１７      排気ファン
２        ヒートポンプユニット
２１      凝縮器
２２      膨張弁
２３      蒸発器
２４      圧縮機
３        昇温装置（熱交換器）
３１      パイプ
３２      放熱フィン
５        排熱回収装置
５１      パイプ
５２      放熱フィン
６        作用水タンク
６１      ポンプ
６２      ポンプ
１００    コンピュータ
１１０    記憶装置
１１１    ＨＤＤ
１２０    ディスプレイ
１２１    フロー・ユーティリティ選択画面
１２１ａ  決定ボタン
１２２    回路図選択画面
１２２ａ  選択ボタン
１２３    数値入力画面
１２３ａ  計算実行ボタン
１２５    回路図
１２６    比較表
１２７    グラフ
１２８    グラフ
Ａ０      外気
Ａ１      昇温外気
Ａ２      混合気
Ａ３      乾燥気体
ＤＢ１    回路図データベース
ＤＢ２    機器データベース
ＤＢ３    環境影響データベース
ＤＢ４    コスト・エネルギーデータベース
ＤＢ５    データ処理シートデータベース
Ｇ        排気
Ｈ        被処理物
Ｐ１      構成機器及び配置選択工程
Ｐ２      条件入力工程
Ｐ３      運転条件導出及び機器選択工程
Ｐ４      エネルギー使用量算出工程
Ｐ５      温室効果ガス排出量算出工程
Ｐ６      コスト算出工程
Ｐ７      結果表示工程
Ｐ８      比較検討工程
Ｗ        作用水
【図１】
0005566818.tif 000002
【図２】
0005566818.tif 000003
【図３】
0005566818.tif 000004
【図４】
0005566818.tif 000005
【図５】
0005566818.tif 000006
【図６】
0005566818.tif 000007
【図７】
0005566818.tif 000008
【図８】
0005566818.tif 000009
【図９】
0005566818.tif 000010
【図１０】
0005566818.tif 000011
【図１１】
0005566818.tif 000012